(57)【要約】【課題】コート層が存在する領域とコート層が存在しない領域との各々が混在するコート加工印刷物の色再現のためのシミュレーションに用いることのできるＩＣＣプロファイルを作成する色変換テーブル作成装置の提供を目的とする。【解決手段】本発明の色変換テーブル作成装置は、所定のインキが所定の制御値により印刷された後、印刷面の少なくとも一部に透明なコート層が所定の制御値で印刷されたカラーチャート印刷物における制御値の組合わせ毎のチャートの各々の色を測色した測色値と、当該測色値に対応するインキ及びコート層を印刷する制御値との対応を示す多次元色変換テーブルを生成する色変換テーブル作成部を備える。【選択図】図１
2018006965.tif 000002
【特許請求の範囲】
【請求項１】
所定のインキが所定の制御値により印刷された後、印刷面の少なくとも一部に透明なコート層が所定の制御値で印刷されたカラーチャート印刷物における制御値の組合わせ毎のチャートの各々の色を測色した測色値と、当該測色値に対応する前記インキ及び前記コート層を印刷する制御値との対応を示す多次元色変換テーブルを生成する色変換テーブル作成部
を備えることを特徴とする色変換テーブル作成装置。
【請求項２】
前記コート層の制御値が、当該コート層が印刷されない値を含む
ことを特徴とする請求項１に記載の色変換テーブル作成装置。
【請求項３】
前記カラーチャート印刷物が前記インキのみが印刷されている第１カラーチャート部と、当該第１カラーチャート部と同一の制御値で印刷されたチャート各々の印刷面に前記コート層が一様に印刷された第２カラーチャート部とからなる
ことを特徴とする請求項１または請求項２に記載の色変換テーブル作成装置。
【請求項４】
前記カラーチャート印刷物における前記コート層が印刷されているチャートの第１測色値と、前記カラーチャート印刷物における前記コート層が印刷されていないチャートの第２測色値との差分測色値を、同一のインキの制御値毎に求める差分測色値計算部と、
前記カラーチャート印刷物と同一の制御値のインキにより、当該カラーチャート印刷物の印刷媒体と異なる他の印刷媒体に、他のカラーチャート印刷物を印刷した場合、前記カラーチャート印刷物の印刷におけるインキの制御値と同一の制御値である、前記他のカラーチャート印刷物のチャートの色を測色して求めた第３測色値に対し、差分測色値を加算することにより、インキのみの第３測色値を、他のカラーチャート印刷物のチャートにコート層が形成された場合の測色値に補正する測色値補正部と
をさらに備えることを特徴とする請求項１から請求項３のいずれか一項に記載の色変換テーブル作成装置。
【請求項５】
色変換テーブル作成部が、所定のインキが所定の制御値により印刷された後、印刷面に透明なコート層が所定の制御値で印刷されたカラーチャート印刷物における制御値の組合わせ毎の各々の色を測色した測色値と、当該測色値に対応する前記インキ及び前記コート層を印刷する制御値との対応を示す多次元色変換テーブルを生成する色変換テーブル作成過程
を含むことを特徴とする色変換テーブル作成方法。
【請求項６】
コンピュータを、
所定のインキが所定の制御値により印刷された後、印刷面に透明なコート層が所定の制御値で印刷されたカラーチャート印刷物における制御値の組合わせ毎のチャートの各々の色を測色した測色値と、当該測色値に対応する前記インキ及び前記コート層を印刷する制御値との対応を示す多次元色変換テーブルを生成する色変換テーブル作成手段
として動作させるためのプログラム。
【請求項７】
所定のインキが所定の制御値により印刷された後、印刷面の少なくとも一部に透明なコート層が所定の制御値で印刷されたカラーチャート印刷物における制御値の組合わせ毎のチャートの各々の色を測色した測色値と、当該測色値に対応する前記インキ及び前記コート層を印刷する制御値との対応を示す多次元色変換テーブルを生成する色変換テーブル作成部と、
出力画像を出力する画像出力部と、
前記出力画像における画素の各々のインキ及びコート層の制御値に対応した測色値を前記多次元色変換テーブルから読み出し、前記読み出した前記測色値に対応した前記出力装置が用いる制御値を、デスティネーションプロファイルから読み出すことにより、前記測色値を前記出力装置用の制御値に変換する色変換処理部と
を備えることを特徴とする画像出力システム。
【発明の詳細な説明】
【技術分野】
【０００１】
本発明は、部分的に印刷されたトップコート層を含む画像データを出力する際に用いる印刷信号値の変換処理に用いる多次元色変換テーブルを作成する色変換テーブル作成装置、色変換テーブル作成方法、プログラム及び画像出力システムに関する。
【背景技術】
【０００２】
近年、ユーザのニーズの多様化に伴い、印刷装置などによる印刷物の高付加価値化が求められている。印刷物の付加価値を高めるためには、印刷物自体の機能の向上、あるいは印刷物を商品としたときの効用を向上させることなどが行なわれている。
例えば、印刷物の印刷面を保護して、印刷物の耐性を高めて機能性を向上させるため、印刷面に対してニスなどのコート層が印刷される。また、印刷面に対してニス加工を行なうことで、光沢性や凹凸形状を付加して、印刷物の意匠性を高めて、印刷物の商品としての効用を向上する。
【０００３】
上述したように、印刷物の表面にニスなどのコート層を印刷したコート層加工印刷物の意匠性は、実際に印刷を行なう前にＤＴＰ（Desktop Publishing）行程で確認する必要がある。この意匠性の確認を行なう場合、インクジェットプリンタやＤＤＣＰ（Direct Digital Color Proof）などの印刷の版を必要としない（無版の）デジタル出力装置が用いられる。このデジタル出力装置のデジタル出力により、印刷物が実際に印刷された際の印刷物の色をシミュレーションにより再現し、再現した印刷物を視認することで、印刷物の意匠性を確認することが一般的に行なわれている。
【０００４】
例えば、引用文献１には上記シミュレーションにおける色再現の精度を低下させずに、印刷物の印刷面にラミネートフィルムやニスで保護膜が形成されたコート層加工印刷物のシミュレーションにおける無版のデジタル出力を可能とするＩＣＣ（international color consortium）プロファイルの生成方法が記載されている。この特許文献１においては、インキの色成分Ｃ（Cyan：シアン）、色成分Ｍ（Magenta、マゼンタ）、色成分Ｙ（Yellow、イエロー）、色成分Ｋ（blacK、ブラック）の各々のプロセスカラーのインキを用いた４色印刷をベースとしたＩＣＣプロファイルを生成している。
【０００５】
すなわち、上記プロセスカラーのインキを用いた４色印刷におけるインキの色成分ＣＭＹＫの各々の制御値（ＣＭＹＫ信号値）と、この４色印刷の印刷物の印刷面に対してコート層を形成したコート層加工印刷物の測色値との対応関係を示す色変換テーブルを有するＩＣＣプロファイルを生成する。これにより、印刷物にコート層が形成されることによるシミュレーションにおける色再現の精度の低下を抑制し、コート層加工印刷物のデジタル出力を得ることができる。
【先行技術文献】
【特許文献】
【０００６】
【特許文献１】特許第５３０７０５７号公報
【発明の概要】
【発明が解決しようとする課題】
【０００７】
しかしながら、特許文献１においては、印刷物の印刷面に対して一様にコート層が形成されたコート加工印刷物の再現を対象としたＩＣＣプロファイルが生成される。
このため、印刷物の印刷面において、コート層が一部の領域に形成されているコート加工印刷物、すなわちコート層が存在する領域とコート層が存在しない領域との各々が混在するコート加工印刷物の色再現のためのシミュレーションには、特許文献１のＩＣＣプロファイルでは対応できない。
【０００８】
本発明は、このような状況に鑑みてなされたものであり、コート層が存在する領域とコート層が存在しない領域との各々が混在するコート加工印刷物の色再現のためのシミュレーションに用いることのできるＩＣＣプロファイルを作成する色変換テーブル作成装置、色変換テーブル作成方法、プログラム及び画像出力システムの提供を目的とする。
【課題を解決するための手段】
【０００９】
上述した課題を解決するために、本発明の色変換テーブル作成装置は、所定のインキが所定の制御値により印刷された後、印刷面の少なくとも一部に透明なコート層が所定の制御値で印刷されたカラーチャート印刷物における制御値の組合わせ毎の各々の色を測色した測色値と、当該測色値に対応する前記インキ及び前記コート層を印刷する制御値との対応を示す多次元色変換テーブルを生成する色変換テーブル作成部を備えることを特徴とする。
【００１０】
本発明の色変換テーブル作成装置は、前記コート層の制御値が、当該コート層が印刷されない値を含むことを特徴とする。
【００１１】
本発明の色変換テーブル作成装置は、前記カラーチャート印刷物が前記インキのみが印刷されている第１カラーチャート部と、当該第１カラーチャート部と同一の制御値で印刷されたチャート各々の印刷面に前記コート層が一様に印刷された第２カラーチャート部とからなることを特徴とする。
【００１２】
本発明の色変換テーブル作成装置は、前記カラーチャート印刷物における前記コート層が印刷されているチャートの第１測色値と、前記カラーチャート印刷物における前記コート層が印刷されていないチャートの第２測色値との差分測色値を、同一のインキの制御値毎に求める差分測色値計算部と、前記カラーチャート印刷物と同一の制御値のインキにより、当該カラーチャート印刷物の印刷媒体と異なる他の印刷媒体に、他のカラーチャート印刷物を印刷した場合、前記カラーチャート印刷物の印刷におけるインキの制御値と同一の制御値である、前記他のカラーチャート印刷物のチャートの色を測色して求めた第３測色値に対し、差分測色値を加算することにより、インキのみの第３測色値を、他のカラーチャート印刷物のチャートにコート層が形成された場合の測色値に補正する測色値補正部とをさらに備えることを特徴とする。
【００１３】
本発明の色変換テーブル作成方法は、色変換テーブル作成部が、所定のインキが所定の制御値により印刷された後、印刷面に透明なコート層が所定の制御値で印刷されたカラーチャート印刷物における制御値の組合わせ毎のチャートの各々の色を測色した測色値と、当該測色値に対応する前記インキ及び前記コート層を印刷する制御値との対応を示す多次元色変換テーブルを生成する色変換テーブル作成過程を含むことを特徴とする。
【００１４】
本発明のプログラムは、コンピュータを、所定のインキが所定の制御値により印刷された後、印刷面に透明なコート層が所定の制御値で印刷されたカラーチャート印刷物における制御値の組合わせ毎のチャートの各々の色を測色した測色値と、当該測色値に対応する前記インキ及び前記コート層を印刷する制御値との対応を示す多次元色変換テーブルを生成する色変換テーブル作成手段として動作させるためのプログラムである。
【００１５】
本発明の画像出力システムは、所定のインキが所定の制御値により印刷された後、印刷面の少なくとも一部に透明なコート層が所定の制御値で印刷されたカラーチャート印刷物における制御値の組合わせ毎のチャートの各々の色を測色した測色値と、当該測色値に対応する前記インキ及び前記コート層を印刷する制御値との対応を示す多次元色変換テーブルを生成する色変換テーブル作成部と、出力画像を出力する画像出力部と、前記出力画像における画素の各々のインキ及びコート層の制御値に対応した測色値を前記多次元色変換テーブルから読み出し、前記読み出した前記測色値に対応した前記出力装置が用いる制御値を、デスティネーションプロファイルから読み出すことにより、前記測色値を前記出力装置用の制御値に変換する色変換処理部とを備えることを特徴とする。
【発明の効果】
【００１６】
以上説明したように、本発明によれば、コート層が存在する領域とコート層が存在しない領域との各々が混在するコート加工印刷物の色再現のためのシミュレーションに用いることのできるＩＣＣプロファイルを作成する色変換テーブル作成装置、色変換テーブル作成方法、プログラム及び画像出力システムの提供することができる。
【図面の簡単な説明】
【００１７】
【図１】本発明の第１の実施形態による色変換テーブル作成装置の構成例を示す概念図である。
【図２】多次元色変換テーブルの作成に用いるカラーチャート印刷物における制御値及び測色値を説明する概念図である。
【図３】図２における第１カラーチャート印刷領域２１の印刷に用いた色成分のインキ各々の制御値と、コート層の制御値との組合せを示す第１制御値テーブルの構成例を示す図である。
【図４】図２における第２カラーチャート印刷領域２２の印刷に用いた色成分のインキ各々の制御値と、コート層の制御値との組合せを示す第２制御値テーブルの構成例を示す図である。
【図５】色変換テーブル作成部１３により生成される多次元色変換テーブルの構成例を示す図である。
【図６】本発明の第２の実施形態による色変換テーブル作成装置の構成例を示す概念図である。
【図７】色変換テーブルデータベース２Ａに記憶されているコート層無し多次元色変換テーブルの構成例を示す図である。
【図８】色変換テーブルデータベース２Ａに記憶されている補正値テーブルの構成例を示す図である。
【図９】色変換テーブルデータベース２Ａに記憶されている補正多次元色変換テーブルの構成例を示す図である。
【図１０】本発明の第１の実施形態による色変換テーブル作成装置１を用いた画像出力システムの構成例を示す概念図である。
【発明を実施するための形態】
【００１８】
＜第１の実施形態＞
以下、本発明の実施形態について、図面を参照して説明する。図１は、本発明の第１の実施形態による色変換テーブル作成装置の構成例を示す概念図である。図１において、色変換テーブル作成装置１は、制御値入力部１１、測色値入力部１２、色変換テーブル作成部１３及び色変換テーブル書込部１４の各々を備えている。
色変換テーブル作成装置１は、印刷におけるコート層Ｓとインキの色成分Ｃ、Ｍ、Ｙ、Ｋの各々とのインキの制御値と、この制御値により印刷された画像の測色値とが対応付けられたマルチチャンネルプロファイルとしての多次元色変換テーブル（ＩＣＣプロファイル）を作成する。このコート層Ｓは、透明あるいは半透明な層であり、例えば、ニス、透明インキ、クリアトナーなどが印刷された層である。
色変換テーブルデータベース２は、色変換テーブル作成装置１が作成した多次元色変換テーブルが書き込まれて記憶される。
【００１９】
制御値入力部１１は、カラーチャートを印刷したカラーチャート印刷物における各チャートの印刷に用いた制御値が入力される。ここで、制御値は、各チャートの印刷に用いたインキの色成分のチャンネルの制御量（０％から１００％の間の数値）を示している。０％は印刷にそのインキの色成分を全く使わないことを示し、１００％はその印刷位置で完全にインキの色成分の色を発色させることを示している。本実施形態において、カラーチャートは、インキの色成分Ｃ，Ｍ、Ｙ、Ｋの制御値、及びコート層Ｓの制御値の組合せにて印刷されたチャートの集合体、すなわち複数の異なる制御値の組合せでそれぞれ印刷されたチャートの集合体としている。
測色値入力部１２は、カラーチャートを印刷したカラーチャート印刷物における各チャートの色の測色値が入力される。ここで、測色値は、三刺激値ＸＹＺで示すＸＹＺ表色系、あるいはＬａｂ色空間（Lab color space）のＬ＊ａ＊ｂ＊表色系などが用いられる。本実施形態においては、ＸＹＺ表色系を用いている。
【００２０】
図２は、多次元色変換テーブルの作成に用いるカラーチャート印刷物における制御値及び測色値を説明する概念図である。図２におけるカラーチャート印刷物２０は、第１カラーチャート印刷領域２１と、第２カラーチャート印刷領域２２とから構成されている。第１カラーチャート印刷領域２１は、インキのＣＭＹＫの各々の色成分の制御値を、それぞれ０％、２０％、４０％、６０％、８０％、１００％（以下、単に０、２０、４０、６０、８０、１００と示す）のいずれかとした組合わせとして、色の再現対象とする印刷機により印刷したチャートの各々から構成されている。
【００２１】
ここで、第１カラーチャート印刷領域２１におけるコート層Ｓのチャンネルの制御値は一様に「０」とされている。すなわち、第１カラーチャート印刷領域２１は、ＣＭＹＫの各々のインキの色成分の印刷の印刷面の全面に対してコート層Ｓが形成されていないチャートとなっている。
一方、第２カラーチャート印刷領域２２におけるコート層Ｓのチャンネルの制御値は一様に「１００」とされている。すなわち、第２カラーチャート印刷領域２２は、ＣＭＹＫの各々のインキの色成分の印刷の印刷面の全面に対してコート層Ｓが形成されている（最大の厚さで形成されている）チャートとなっている。
【００２２】
図３は、図２における第１カラーチャート印刷領域２１の印刷に用いたインキの色成分Ｃ、Ｍ、Ｙ、Ｋのインキ各々の制御値と、コート層Ｓの制御値との組合せを示す第１制御値テーブルの構成例を示す図である。インキの色成分Ｃ、Ｍ、Ｙ、Ｋの各々の印刷の制御値と、コート層Ｓの印刷の制御値との組合わせが示されている。ここで、コート層Ｓの印刷の制御値は、一様に０である。図３において、コート層Ｓの制御値が一様に０であるため、インキの色成分Ｃ、Ｍ、Ｙ、Ｋの制御値の組合わせは、０、２０、４０、６０、８０、１００のいずれかとした組合わせであり、組合わせ数として６４となり、Ｎｏ．１からＮｏ．１２９６までの１２９６通りある。図３の制御値の各組合わせは、図２の第１カラーチャート印刷領域２１の各チャートの印刷にそれぞれ用いられたインキの色成分のチャンネルの制御値である。
【００２３】
図４は、図２における第２カラーチャート印刷領域２２の印刷に用いたインキの色成分のインキ各々の制御値と、コート層Ｓの制御値との組合せを示す第２制御値テーブルの構成例を示す図である。インキの色成分Ｃ、Ｍ、Ｙ、Ｋの各々の印刷の制御値と、コート層Ｓの印刷の制御値との組合わせが示されている。ここで、コート層Ｓの印刷の制御値は、一様に１００である。図４において、コート層Ｓの制御値が一様に１００であり、インキの色成分Ｃ、Ｍ、Ｙ、Ｋの制御値の組合わせは、図３の組合わせと同様に、０、２０、４０、６０、８０、１００のいずれかとした組合わせであり、組合わせ数として６４となり、Ｎｏ．１２９７からＮｏ．２５９２までの１２９６通りある。図４の制御値の各組合わせは、図２の第２カラーチャート印刷領域２２の各チャートの印刷にそれぞれ用いられたインキの色成分のチャンネルの制御値である。
【００２４】
そして、図３及び図４の各々における、インキの色成分Ｃ、Ｍ、Ｙ、Ｋ、コート層Ｓの各々の印刷の制御値の組合わせを用いて印刷したカラーチャート印刷物２０のチャートそれぞれの測色値を、色彩計あるいは分光光度計により測定する。
【００２５】
色変換テーブル作成部１３は、制御値入力部１１から供給される制御値の組合わせと、測色値入力部１２から供給される上記制御値の組合せで印刷されたチャートの測色値とを対応付けて多次元色変換テーブルを作成する。
【００２６】
図５は、色変換テーブル作成部１３により生成される多次元色変換テーブルの構成例を示す図である。この図５の多次元色変換テーブルには、インキの色成分Ｃ、Ｍ、Ｙ、Ｋ、コート層Ｓの各々の印刷の制御値の組合わせと、この組合わせで印刷したチャートの色の測色値（Ｘ、Ｙ、Ｚ）とが対応付けて記憶される。
【００２７】
図１に戻り、色変換テーブル作成部１３は、インキの色成分Ｃ、Ｍ、Ｙ、Ｋ、コート層Ｓの各々の印刷の制御値の全ての組合わせに対応して、この組合わせにより印刷されたチャートの測色値を順次書き込むことにより、多次元色変換テーブルを作成する。
色変換テーブル書込部１４は、色変換テーブル作成部１３の作成した多次元色変換テーブルを、外部の色変換テーブルデータベース２に書き込んで記憶させる。
【００２８】
これにより、本実施形態においては、インキの色成分Ｃ、Ｍ、Ｙ、Ｋ、コート層Ｓの各々の印刷の制御値の組合わせと、その印刷結果のチャートの測色値とが対応付けられた多次元色変換テーブルを得ることができ、この多次元色変換テーブルを用いることで、コート層Ｓが存在する領域（印刷面の少なくとも一部の領域）とコート層Ｓが存在しない領域との各々が混在するコート加工印刷物の色再現のためのシミュレーションを容易に行なうことが可能となる。
また、本実施形態によれば、コート層が印刷できない通常のインクジェットプリンタなどにおいて、インキの色成分Ｃ、Ｍ、Ｙ、Ｋ及びコート層Ｓの各々の制御値を画像データとして入力することにより、ユーザが仮想的にコート層Ｓが設けられた印刷物として、インクジェットプリンタの出力する画像を鑑賞することを可能とする多次元色変換テーブルを作成することができる。
【００２９】
また、本実施形態においては、インキの色成分Ｃ、Ｍ、Ｙ、Ｋの各々の制御値を、０から１００の値を６点で均等に分割した、０、２０、４０、６０、８０、１００の６通りとして説明した。しかしながら、本実施形態の他の構成として、インキの色成分Ｃ、Ｍ、Ｙ、Ｋの制御値を０から１００の間の数値で、０と１００とを含む２通り以上の任意の数値を設定することができ、また、制御値を０から１００の間において均等に分割しなくても良い。例えば、インキの色成分Ｃ、Ｍ、Ｙ、Ｋの各々の制御値を０、４０、７０、１００として、インキの色成分Ｃ、Ｍ、Ｙ、Ｋ、コート層Ｓの各々の制御値の組合わせに対応する多次元色変換テーブルを生成しても良い。
また、本実施形態においては、コート層Ｓの制御値を０と１００との２通りとして説明した。しかしながら、本実施形態の他の構成として、コート層Ｓの制御値を０から１００の間の数値、例えばインキの色成分Ｃ、Ｍ、Ｙ、Ｋの各々と同様に、制御値を０、２０、４０、６０、８０、１００、あるいは制御値を０と１００とを含む２通り以上の任意の数値を設定して、インキの色成分Ｃ、Ｍ、Ｙ、Ｋ、コート層Ｓの各々の制御値の見合わせに対応する多次元色変換テーブルを生成しても良い。
【００３０】
＜第２の実施形態＞
以下、本発明の実施形態について、図面を参照して説明する。図６は、本発明の第２の実施形態による色変換テーブル作成装置の構成例を示す概念図である。図６において、色変換テーブル作成装置１Ａは、制御値入力部１１、測色値入力部１２、色変換テーブル作成部１３、色変換テーブル書込部１４、差分測色値計算部１５及び測色値補正部１６の各々を備えている。第１の実施形態の色変換テーブル作成装置１と同様の構成については、同一の符号を付与し、その説明を省略する。第１の実施形態と異なる点は、差分測色値計算部１５及び測色値補正部１６の各々が付加された点である。
【００３１】
色変換テーブルデータベース２Ａは、色変換テーブル作成装置１Ａが作成した多次元色変換テーブルが書き込まれて記憶される。この多次元色変換テーブルは、第１の実施形態における色変換テーブルと同様であり、第１のメディア（印刷媒体）に印刷された印刷物から生成されている。
【００３２】
差分測色値計算部１５は、色変換テーブルデータベース２Ａから、色変換テーブル作成部１３が作成した多次元色変換テーブルを読み出す。そして、差分測色値計算部１５は、読み出した多次元色変換テーブルにおいて、コート層の有無が異なる同一制御値の測色値、すなわち第１制御値テーブルと第２制御値テーブルとの各々におけるインキの色成分Ｃ、Ｍ、Ｙ、Ｋそれぞれの制御値が同一の測色値を読み出す。ここで、第１制御値テーブルから読み出したコート層の制御値が０の測色値を第１測色値（Ｘ１，Ｙ１，Ｚ１）、第２制御値テーブルから読み出したコート層の制御値が１００の測色値を第２測色値（Ｘ１’，Ｙ１’，Ｚ１’）として説明する。
【００３３】
また、差分測色値計算部１５は、第２測色値（Ｘ１’，Ｙ１’，Ｚ１’）から第１測色値（Ｘ１，Ｙ１，Ｚ１）を減算し、印刷物の測色値に対するコート層による影響される補正値（ΔＸ１，ΔＹ１，ΔＺ１）を求める。
すなわち、差分測色値計算部１５は、以下の式により、三刺激値Ｘ，Ｙ、Ｚそれぞれに対応する補正値（ΔＸ１，ΔＹ１，ΔＺ１）を算出する。
ΔＸ１＝Ｘ１’−Ｘ１
ΔＹ１＝Ｙ１’−Ｙ１
ΔＺ１＝Ｚ１’−Ｚ１
差分測色値計算部１５は、制御値の組合せ毎に上記補正値を算出し、算出した補正値を色変換テーブルデータベース２Ａに対して補正値テーブルとして書き込んで記憶させる。
【００３４】
図７は、色変換テーブルデータベース２Ａに記憶されているコート層無し（コート層Ｓの制御値０に対応）変換テーブルの構成例を示す図である。図２において、コート層無し、すなわちインキの色成分Ｃ、Ｍ、Ｙ、Ｋの各々のインキのそれぞれの制御値の組合せと、その組合せにより他のメディアに印刷された印刷物の測色値との対応関係を示すコート層無し多次元色変換テーブルの構成例が示されている。
このコート層無し多次元色変換テーブルは、インキの色成分Ｃ、Ｍ、Ｙ、Ｋの制御値の組合わせが、０、２０、４０、６０、８０、１００のいずれかとした組合わせに対応した測色値（Ｘ２，Ｙ２，Ｚ２）それぞれが示されている。
【００３５】
図８は、色変換テーブルデータベース２Ａに記憶されている補正値テーブルの構成例を示す図である。この補正値テーブルは、図７と同様に、コート層無し（コート層Ｓの制御値０に対応）である。この図８の補正値テーブルには、インキの色成分Ｃ、Ｍ、Ｙ、Ｋの各々の印刷の制御値の組合わせと、この組合わせに対応する補正値（ΔＸ１、ΔＹ１、ΔＺ１）とが対応付けて記憶される。この補正値テーブルは、インキの色成分Ｃ、Ｍ、Ｙ、Ｋの制御値の組合わせが、０、２０、４０、６０、８０、１００のいずれかとした組合わせに対応した補正値が示されている。
このため、補正値の数は、インキの色成分Ｃ、Ｍ、Ｙ、Ｋの制御値の組合わせの数に対応して、組合わせ数として６４となり、Ｎｏ．１からＮ０．１２９６までの１２９６通りある。Ｎｏ．に対応したレコード毎に、インキの色成分Ｃ、Ｍ、Ｙ、Ｋの制御値の組合わせと、この組合せに対応した測色値の補正値ΔＸ１、ΔＹ１、ΔＺ１それぞれとが記憶されている。
【００３６】
図６に戻り、本実施形態においては、第１のメディアに印刷された印刷物から求めた補正値に基づき、コート層無し（コート層Ｓの制御値０に対応）で他のメディアに印刷された印刷物の測色値からなるコート層無し多次元色変換テーブルを用い、他のメディアに印刷された印刷物上にコート層Ｓを生成した際の測色値を求める。コート層無し多次元色変換テーブルは、図２の第１カラーチャート印刷領域２１に対応した図３の第１制御値テーブルと同様である（ただし、コート層Ｓの制御値の項目はない）。また、コート層無し多次元色変換テーブルは、予め色変換テーブルデータベース２Ａに書き込まれていても良いし、補正を行なう際に外部から供給されるようにしても良い。以下の説明においては、予め色変換テーブルデータベース２Ａに書き込まれているとして説明を行う。
【００３７】
図９は、色変換テーブルデータベース２Ａに記憶されている補正多次元色変換テーブルの構成例を示す図である。多次元補正色変換テーブルは、測色値補正部１６が上記コート層無し多次元色変換テーブルにおける測色値（Ｘ２，Ｙ２，Ｚ２）を、補正値（ΔＸ１，ΔＹ１，ΔＺ１）を用いてコート層Ｓが付加された場合の補正測色値（Ｘ２’，Ｙ２’，Ｚ２’）を求めて作成されている。
領域Ａのレコード（Ｎｏ．１〜Ｎｏ．１２９６）の各々には、コート無し多次元色変換テーブルにおけるインキの色成分Ｃ、Ｍ、Ｙ、Ｋの制御値の組合せと、この組合せに対応する測色値（Ｘ２，Ｙ２，Ｚ２）とがそれぞれ書き込まれている。
領域Ｂのレコード（Ｎｏ．１２９７〜Ｎｏ．２５９２）の各々には、コート無し色変換テーブルにおけるインキの色成分Ｃ、Ｍ、Ｙ、Ｋの制御値の組合せと、この組合せに対応する測色値（Ｘ２，Ｙ２，Ｚ２）を補正値（ΔＸ１，ΔＹ１，ΔＺ１）により補正した補正測色値（Ｘ２’，Ｙ２’，Ｚ２’）とがそれぞれ書き込まれている。
【００３８】
すなわち、補正多次元色変換テーブルにおける領域Ａのレコード（Ｎｏ．１〜Ｎｏ．１２９６）の各々と、領域Ｂのレコード（Ｎｏ．１２９７〜Ｎｏ．２５９２）の各々とは、図７に示す同一のコート無し多次元色変換テーブルのレコード（Ｎｏ．１〜Ｎｏ．１２９６）から生成されている。領域Ａのレコード（Ｎｏ．１〜Ｎｏ．１２９６）の各々は、コート層Ｓの制御値が０であるとして、コート無し多次元色変換テーブルのレコード（Ｎｏ．１〜Ｎｏ．１２９６）それぞれのインキの色成分Ｃ、Ｍ、Ｙ、Ｋの制御値の組合せと、この組合せに対応する測色値（Ｘ２，Ｙ２，Ｚ２）とがそのまま記述されている。
一方、領域Ｂのレコード（Ｎｏ．１２９７〜Ｎｏ．２５９２）の各々は、コート無し多次元色変換テーブルのレコード（Ｎｏ．１〜Ｎｏ．１２９６）それぞれのインキの色成分Ｃ、Ｍ、Ｙ、Ｋの制御値の組合せと、この組合せに対応する測色値（Ｘ２，Ｙ２，Ｚ２）が同一の組合わせに対応する補正値（ΔＸ１，ΔＹ１，ΔＺ１）により補正された、コート層Ｓ有りの補正測色値（Ｘ２’，Ｙ２’，Ｚ２’）が記述されている。
【００３９】
図６に戻り、測色値補正部１６は、補正対象の図７に示す上記コート層無し多次元色変換テーブルを、色変換テーブルデータベース２Ａから読み込む。
そして、測色値補正部１６は、読み出したコート層無し多次元色変換テーブルに対してコート層の制御値の欄を挿入し、コート層Ｓの制御値０のレコードの各々とし、図９に示す補正多次元色変換テーブルの領域Ａのレコード（Ｎｏ．１〜Ｎｏ．１２９６）の各々に、コート無し多次元色変換テーブルのレコード（Ｎｏ．１〜Ｎｏ．１２９６）それぞれのインキの色成分Ｃ、Ｍ、Ｙ、Ｋの制御値の組合せと、この組合せに対応する測色値（Ｘ２，Ｙ２，Ｚ２）とを書き込んで補正多次元色変換テーブルの領域Ａのレコード部分を生成する。
【００４０】
また、測色値補正部１６は、コート層無し多次元色変換テーブルのレコード（Ｎｏ．１〜Ｎｏ．１２９６）から順次、インキの色成分Ｃ、Ｍ、Ｙ、Ｋの制御値の組合せと、この組合せに対応する測色値（Ｘ２，Ｙ２，Ｚ２）を順次読み出す。
そして、測色値補正部１６は、読み出したインキの色成分Ｃ、Ｍ、Ｙ、Ｋの制御値の組合せに対応した補正値（ΔＸ１，ΔＹ１，ΔＺ１）を、色変換テーブルデータベース２Ａの補正値テーブルから読み出す。
【００４１】
測色値補正部１６は、コート無し多次元色変換テーブルのレコード（Ｎｏ．１〜Ｎｏ．１２９６）から読み出した測色値（Ｘ２，Ｙ２，Ｚ２）を、補正値（ΔＸ１，ΔＹ１，ΔＺ１）により補正する。すなわち、測色値補正部１６は、以下の計算により、読み出した測色値（Ｘ２，Ｙ２，Ｚ２）の補正を行ない、補正測色値（Ｘ２’，Ｙ２’，Ｚ２’）を求める。
Ｘ２’＝Ｘ２＋ΔＸ１
Ｙ２’＝Ｙ２＋ΔＹ１
Ｚ２’＝Ｚ２＋ΔＺ１
【００４２】
そして、測色値補正部１６は、補正値テーブルの測色値（Ｘ２，Ｙ２，Ｚ２）を、上述した補正により求めた補正値測色値（Ｘ２’，Ｙ２’，Ｚ２’）に置き換える。測色値補正部１６は、置き換えた補正値測色値（Ｘ２’，Ｙ２’，Ｚ２’）を、すなわち補正した補正値測色値（Ｘ２’，Ｙ２’，Ｚ２’）を、図９の補正多次元色変換テーブルのコート層Ｓの制御値の１００の領域Ｂにおけるレコード（Ｎｏ．１２９７〜Ｎｏ．２５９２）のインキの色成分Ｃ、Ｍ、Ｙ、Ｋの制御値の組合せのレコードの測色値（Ｘ２，Ｙ２，Ｚ２）として書き込む。
【００４３】
上述した処理により、測色値補正部１６は、コート層Ｓが印刷された測色値を備えていないコート層無し多次元色変換テーブルを、コート層Ｓが印刷された測色値を備える補正変換色テーブルに変換する。
これにより、本実施形態によれば、異なるメディアにインキの色成分Ｃ、Ｍ、Ｙ、Ｋのみのインキを用いて作成したコート層無し多次元色変換テーブルを、インキの色成分Ｃ、Ｍ、Ｙ、Ｋのインキに加えて、新たにコート層Ｓを印刷して測色値を測色することなく、インキの色成分Ｃ、Ｍ、Ｙ、Ｋのインキ及びコート層Ｓの各々が印刷された補正多次元色変換テーブルに変換することができる。このため、インキの色成分Ｃ、Ｍ、Ｙ、Ｋのインキに加えて、新たにコート層Ｓを印刷して測色値を測色する手間を省き、インキの色成分Ｃ、Ｍ、Ｙ、Ｋの制御値の組合わせに対応する補正測色値を一種類求めておくことにより、異なるメディアに印刷された印刷物のコート層無し多次元色変換テーブルを、コート層Ｓの印刷が反映された補正多次元色変換テーブルに容易に変換することができる。
【００４４】
＜第３の実施形態＞
以下、本発明の実施形態について、図面を参照して説明する。図１０は、本発明の第１の実施形態による色変換テーブル作成装置１を用いた画像出力システムの構成例を示す概念図である。図１０において、画像出力システム１００は、第１の実施形態における色変換テーブル作成装置１、色変換テーブルデータベース２、測色装置３、デスティネーションプロファイルデータベース４、色変換処理装置５及び画像出力装置６の各々を備えている。第１の実施形態の色変換テーブル作成装置１と同様の構成については、すでに説明しているため、詳細な説明を省略する。
【００４５】
測色装置３は、例えば、色彩計あるいは分光光度計などであり、インキの色成分Ｃ、Ｍ、Ｙ、Ｋ、及びコート層Ｓの各々をメディアに印刷した印刷結果のカラーチャートそれぞれの測色を行ない、インキの色成分Ｃ、Ｍ、Ｙ、Ｋ、及びコート層Ｓの各々の制御値の組合せ毎のチャートの測色値（Ｘ１，Ｙ１，Ｚ１）を出力する。また、測色装置３は、カラーチャートの測色を行ない、測色値が得られる装置であれば、いずれを用いても良い。
色変換テーブル作成装置１には、測色装置３から測色値（Ｘ１，Ｙ１，Ｚ１）と、この測色値（Ｘ１，Ｙ１，Ｚ１）のチャートの印刷を行なった際のインキの色成分Ｃ、Ｍ、Ｙ、Ｋ、及びコート層Ｓの各々の制御値の組合せとが供給される。これにより、色変換テーブル作成装置１は、すでに第１の実施形態において説明した処理により、多次元色変換テーブルを作成する。そして、色変換テーブル作成装置１は、作成した多次元色変換テーブルを色変換テーブルデータベース２に対して書き込んで記憶させる。
【００４６】
デスティネーションプロファイルデータベース４は、画像出力装置６のデスティネーションプロファイルが予め書き込まれて記憶されている。このデスティネーションプロファイルは、測色値（Ｘ１，Ｙ１，Ｚ１）を、画像出力装置６の印刷におけるインキの色成分Ｃ、Ｍ、Ｙ、Ｋの制御値の組合わせに変換する際に用いる多次元色変換テーブルである。
色変換処理装置５は、例えばＲＩＰ（raster image processor）であり、画像データとして入力されるインキの色成分Ｃ、Ｍ、Ｙ、Ｋ及びコート層Ｓの各々の制御値の組合せに基づき、画像出力装置６の特性に対応したビットマップ化の演算を行ない、画像出力装置６に用いられるインキの色成分Ｃ、Ｍ、Ｙ、Ｋの各々の制御値の組合せを生成する。
【００４７】
すなわち、色変換処理装置５は、色変換テーブルデータベース２に記憶されている多次元色変換テーブルを参照し、入力する画像データであるインキの色成分Ｃ、Ｍ、Ｙ、Ｋ、及びコート層Ｓの各々の制御値の組合せに対応する測色値（Ｘ１，Ｙ１，Ｚ１）を読み出す。
そして、色変換処理装置５は、デスティネーションプロファイルデータベース４に記憶されている画像出力装置６のデスティネーションプロファイルを参照し、求めた測色値（Ｘ１，Ｙ１，Ｚ１）に対応するインキの色成分Ｃ、Ｍ、Ｙ、Ｋの各々の制御値の組合せを読出し、画像データの各ピクセルの制御値の組合せを、画像出力装置６の特性に対応した制御値の組合せである出力用データに変換する。
画像出力装置６は、インクジェットプリンタなどであり、色変換処理装置５から供給される画像データの各ピクセルのインキの色成分Ｃ、Ｍ、Ｙ、Ｋの各々の制御値の組合せの出力用データを用い、この画像データを印刷して印刷物として出力する。
【００４８】
本実施形態によれば、コート層Ｓを印刷することができない画像出力装置においても、コート層を印刷した画像に対応した測色値を有する印刷物を容易に得ることができる。これにより、コート層が印刷できない通常のインクジェットプリンタなどにおいて、インキの色成分Ｃ、Ｍ、Ｙ、Ｋ及びコート層Ｓの各々の制御値を画像データとして入力することにより、ユーザが仮想的にコート層Ｓが設けられた印刷物として、インクジェットプリンタの出力する画像を鑑賞することができる。
【００４９】
なお、本発明における図１の色変換テーブル作成装置１及び図６の色変換テーブル作成装置１Ａの各々の機能を実現するためのプログラムをコンピュータ読み取り可能な記録媒体に記録して、この記録媒体に記録されたプログラムをコンピュータシステムに読み込ませ、実行することにより、コート層が印刷物の上部に設けられた画像の変換に用いる多次元色変換テーブルを生成する処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００５０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５１】
１…色変換テーブル作成装置
２…色変換テーブルデータベース
３…測色装置
４…デスティネーションプロファイルデータベース
５…色変換処理装置
６…画像出力装置
１１…制御値入力部
１２…測色値入力部
１３…色変換テーブル作成部
１４…色変換テーブル書込部
【図１】
2018006965.tif 000003
【図２】
2018006965.tif 000004
【図３】
2018006965.tif 000005
【図４】
2018006965.tif 000006
【図５】
2018006965.tif 000007
【図６】
2018006965.tif 000008
【図７】
2018006965.tif 000009
【図８】
2018006965.tif 000010
【図９】
2018006965.tif 000011
【図１０】
2018006965.tif 000012